(57)【要約】【課題】  光モジュールにおいて、放熱の効率の向上と放熱部との取付による外力に対して光学部品を保持し、３色のビームスポットの相対位置ずれを低減する。【解決手段】  複数のレーザを搭載し前記複数のレーザからのビーム光を照射する光モジュールにおいて、該光モジュールを搭載するケースと放熱部を有し、赤色レーザを取り付けるケースの第１の取付面と緑色レーザを取り付ける第２の取付面け、前記第１の取付面と第２の取付面が交差するように配置し、前記交差するコーナ部を設ける。前記コーナ部の近傍に第１の取付部を有することを特徴とする。【選択図】図４
2014044227.tif 000002
【特許請求の範囲】
【請求項１】
複数のレーザを搭載し前記複数のレーザからのビーム光を照射する光モジュールにおいて、
該光モジュールを搭載するケースと放熱部とを有し、
前記ケースは、赤色レーザを取り付ける前記ケースの第１の取付面と、緑色レーザを取り付ける前記ケースの第２の取付面と、前記第１の取付面と前記第２の取付面が交差するコーナ部とを有し、
前記コーナ部の近傍に、前記ケースを前記放熱部に接続するための第１の取付部を有することを特徴とする光モジュール。
【請求項２】
請求項１において、
前記光モジュールを搭載するケースに前記コーナ部の近傍に第１の取付部と対角の位置に第２の取付部を有することを特徴とする光モジュール。
【請求項３】
請求項１またはおよび請求項２において、
前記光モジュールを搭載するケースに第１の取付部と第２の取付部とは別に、レーザから離れたコーナに第３の取付部を有することを特徴とする光モジュール。
【請求項４】
請求項1乃至請求項３のいずれか一つにおいて、
前記取付部に切欠きを有することを特徴とする光モジュール。
【請求項５】
請求項1乃至請求項４のいずれか一つにおいて、
前記光モジュールを搭載するケースと放熱部の接続に樹脂部材を用いたことを特徴とする光モジュール。
【請求項６】
請求項1乃至請求項５のいずれか一つにおいて、
前記レーザの発光を制御して画像を表示することを特徴とする走査型画像表示装置。
【発明の詳細な説明】
【技術分野】
【０００１】
本発明は、光モジュールおよび走査型画像表示装置に関し、例えば、複数のレーザからのビーム光を１つの光軸上に整列して射出する光モジュール、および、光モジュールからの光ビームを画像表示する走査型画像表示装置に関する。
【背景技術】
【０００２】
近年、手軽に持ち歩きが可能で、大きな画面で表示できる小型プロジェクタの開発が盛んである。すでにノートＰＣなどに接続できる小型のプロジェクタや、記録画像を投射できるプロジェクタを内蔵したビデオカメラなどが市販されており、今後、携帯電話やスマートフォンに内蔵するものも登場すると思われる。
【０００３】
プロジェクタの方式としては、光源にランプやＬＥＤなどを用い、液晶パネルやデジタルマイクロミラーデバイス（ＤＭＤ）で表示した画像を投射するタイプが先行しているが、光源にレーザを用いて、１本のビーム光を可動ミラーにより走査して表示するレーザプロジェクタ（走査型画像表示装置）も開発が進められている。光源にレーザ光を用いるため、焦点合わせの必要がなく、且つ画像の輝度を上げることが容易で、外出先で手ごろな壁に投射するという用途に適していると考えられている。
【０００４】
また、画像の高輝度を生かして自動車などに搭載しフロントガラスに投射、ナビゲートの表示などのヘッドアップディスプレイへの展開も考えられている。
【０００５】
赤、青、緑の３色のレーザを用い、３色のレーザビームを１本の軸に沿って進む合成ビームに結合するビーム結合部と、合成ビームの偏向方向を走査するビームスキャナを有し、カラー画像を表示できる走査型画像表示装置の構成について、例えば、特許文献１に記載がある。特許文献１には、ビーム結合部の構成としては、３つの光源は並列に配置しており、同一方向にビームが射出され、それぞれ、対応したビーム結合ミラーに反射して、合成ビームに結合される記載がある。
【０００６】
なお、従来は直接緑色光を放射するレーザがなかったため、特許文献１においても、赤外光をＳＨＧ（second harmonic generation）で波長変換して緑色光を得ているが、近年では直接緑色光を放射するレーザも入手できるようになってきている。
【先行技術文献】
【特許文献】
【０００７】
【特許文献１】特表２００９−５３３７１５号公報
【特許文献２】特開２０１１−１５０７４２号公報
【発明の概要】
【発明が解決しようとする課題】
【０００８】
上記のような走査型画像表示装置においては、３色のビーム光の光軸を精度よく一致さ
せ、且つ動作中や環境温度の変化などによる外乱に対して光軸を保つことが重要である。光軸がずれてしまうと、スクリーンなどの表示領域上での各色のスポットに相対位置ずれが発生し、画像がぼやけてしまう課題がある。
【０００９】
従って光モジュールの組立時には、３色の光軸が合うように調整して組み立てる必要がある。また、走査型画像表示装置の使用時の温度上昇によりレーザの動作保証温度を外れると、温度依存によるレーザ波長変動により各色の視感度に差が生じ、画面全体が赤っぽくなったりするなどの画像の色ずれを引き起こす、またレーザ出力の低下、寿命の短命化の要因ともなる。そのためレーザ発光時の温度上昇を抑制するため、光モジュール部に放熱部が必要となる課題がある。
【００１０】
放熱部への取付方法としては、特許文献２に記載されているような取付方法がある。
【００１１】
しかしながら、本光モジュールは前記光学部品の光軸のずれや回転を考慮する課題があるが、特許文献２では光学部品の光軸のずれや回転を起こさない位置で取り付ける課題には配慮されていない。
【００１２】
本発明の目的は、スクリーンなどの表示領域上でのスポット相対位置ずれを小さくできることであり、光学部品の取付構造を備えた小型の光モジュールおよび走査型画像表示装置を提供することにある。
【課題を解決するための手段】
【００１３】
上記課題を解決するために、例えば特許請求の範囲に記載の構成を採用する。  
本願は上記課題を解決する手段を複数含んでいるが、その一例を挙げるならば、複数のレーザを搭載し前記複数のレーザからのビーム光を照射する光モジュールにおいて、該光モジュールを搭載するケースと放熱部とを有し、前記ケースは、赤色レーザを取り付ける前記ケースの第１の取付面と、緑色レーザを取り付ける前記ケースの第２の取付面と、前記第１の取付面と前記第２の取付面が交差するコーナ部とを有し、前記コーナ部の近傍に、前記ケースを前記放熱部に接続するための第１の取付部を有することを特徴する。
【００１４】
また、前記光モジュールを搭載するケースに前記コーナ部の近傍に第１の取付部と対角の位置に第２の取付部を設けることを特徴する。
【００１５】
また、前記光モジュールを搭載するケースに第１の取付部と第２の取付部とは別に、レーザから離れたコーナに第３の取付部を設けることを特徴する。
【００１６】
また、前記取付部に切欠きを設けることを特徴する。
【００１７】
また、前記ケースと放熱部の接続に樹脂部材を用いることを特徴する。
【発明の効果】
【００１８】
本発明によれば、スクリーンなどの表示領域上でのスポット相対位置ずれを小さくすることができる、光モジュールおよび走査型画像表示装置を提供できる。
【００１９】
また、例えば、本発明によれば、自動車などに搭載するヘッドアップディスプレイにおいて、複数のレーザに対して、スクリーンなどの表示領域上のレーザスポットの相対位置ずれを小さくできる効果を有する、光モジュールを備えた走査型画像表示装置を提供できる。
【００２０】
上記した以外の課題、構成及び効果は、以下の実施形態の説明により明らかにされる。
【図面の簡単な説明】
【００２１】
【図１】本発明の実施例に係わる走査型画像表示装置の第１の全体構成図である。
【図２】本発明の実施例に係わる第１のレーザ光源モジュールを示す斜視図である。
【図３】本発明の実施例に係わる走査型画像表示装置の第２の全体構成図である。
【図４】本発明の実施例に係わる第２のレーザ光源モジュールを示す斜視図である。
【図５】本発明に用いられるケースの取付部の第３の実施例を示す斜視図である。
【図６】本発明に用いられるケースの取付部の第４の実施例を示す斜視図である。
【図７】本発明に用いられるケースの取付部の第５の実施例を示す斜視図である。
【図８】本発明に用いられるケースの取付部の第６の実施例を示す斜視図である。
【図９】本発明に用いられるケースの取付部の第７の実施例を示す斜視図である。
【図１０】本発明に用いられるケースの取付部の第８の実施例を示す断面図である。
【図１１】本発明に用いられるケースの取付部の第９の実施例を示す平面図である。
【発明を実施するための形態】
【００２２】
以下、本発明の実施例を、図面を用いて説明する。なお、同一の符号を付された構成は、同一の機能を有するので、既に説明されている場合それらの説明は省略することがある。
また、必要な図面には、各部の位置の説明を明確にするために、x軸、y軸及びz軸からなる直交座標軸を記載している。
【実施例１】
【００２３】
図１は本発明の第１の実施例に係る走査型画像表示装置の構成図である。  
図１において、光モジュール１０１は、赤（Ｒ）／緑（Ｇ）／青（Ｂ）の３色それぞれに対応するレーザ光源となる第１のレーザ１ａ、第２のレーザ１ｂ、第３のレーザ１ｃと、各レーザ光源から発せられたビーム光を結合させるビーム結合部を有するレーザ光源モジュール１００と、結合したビーム光をスクリーン１０９へ投射する投射部と、投射するビーム光をスクリーン１０９上で２次元的に走査する走査部とを有する。投射部には偏光ビームスプリッタ(ＰＢＳ)１１０、１／４波長板１１１、画角拡大素子１１２などを有する。また、走査部には走査ミラー１１３などを含む。レーザ光源モジュール１０１には、第２のレーザ１ｂと第３のレーザ１ｃ間にここでは図示していない放熱部１２０に取り付ける第１の取付部３ａを有している。また、前記第１の取付部３ａと対角に光モジュール１０１と放熱部１２０を取り付ける第２の取付部３ｂを有している。
【００２４】
表示する画像入力信号は、電源等を含む制御回路１０２を経由してビデオ信号処理回路１０３に入力する。ビデオ信号処理回路１０３では入力される画像信号に対し各種の処理を施した後に、Ｒ／Ｇ／Ｂの３色信号に分離してレーザ光源駆動回路１０４に送る。レーザ光源駆動回路１０４では、Ｒ／Ｇ／Ｂの各信号の輝度値に応じて、レーザ光源モジュール１００内の対応するレーザに対して発光用の駆動電流を供給する。その結果レーザは、表示タイミングに合わせてＲ／Ｇ／Ｂ信号の輝度値に応じた強度のビーム光を出射する。
【００２５】
また、ビデオ信号処理回路１０３は、画像信号から同期信号を抽出して走査ミラー駆動回路１０５に送る。走査ミラー駆動回路１０５は、水平・垂直同期信号に合わせて光モジュール１０１内の走査ミラー１１３に対しミラー面を２次元的に反復回転させる駆動信号を供給する。これにより走査ミラー１１３は、ミラー面を所定の角度だけ周期的に反復回転してビーム光を反射させ、スクリーン１０９上に水平方向および垂直方向に光ビームを走査して画像を表示する。
【００２６】
フロントモニター信号検出回路１０６は、フロントモニター１１４からの信号を入力して、レーザから出射されるＲ／Ｇ／Ｂそれぞれの出力レベルを検出する。検出された出力レベルは、ビデオ信号処理回路１０３に入力され、所定の出力になるようレーザの出力が制御される。
【００２７】
走査ミラー１１３には、例えばＭＥＭＳ（Micro Electro Mechanical Systems）技術を用いて作成された２軸駆動ミラーを用いることができる。駆動方式としては、圧電、静電、電磁駆動のものなどがある。
【００２８】
また、１軸駆動のスキャンミラーを２つ用意し、互いに直交する方向にビーム光を走査できるように配置してもよい。
【００２９】
以下、本発明に係わる光モジュール１０１について説明する。  
図２は第１実施例に係わる光モジュールを説明する斜視図である。  
図２において、光モジュール１０１は、第１のレーザ１ａ、第２のレーザ１ｂおよび第３のレーザ１ｃを有し、各レーザはハンドリングを向上させる第１のレーザホルダ２ａ、第２のレーザホルダ２ｂ、第３のレーザホルダ２ｃにそれぞれ装着されている。第１のレーザホルダ２ａ、第２のレーザホルダ２ｂ、第３のレーザホルダ２ｃは、それぞれ光モジュール１０１のケース１２に接着剤やねじ止めまたはばねなどで取付けられている。
【００３０】
ところで、走査型画像表示装置の使用時の温度上昇によりレーザの動作保証温度を外れると、温度依存によるレーザ波長変動により各色の視感度に差が生じ、画面全体が赤っぽくなったりするなどの画像の色ずれを引き起こす、またレーザ出力の低下、寿命の短命化の要因ともなる。そのためレーザ発光時の温度上昇を抑制するため、光モジュール部１０１に放熱部１２０を取り付ける必要がある。
【００３１】
特に自動車などに搭載するヘッドアップディスプレイなどは、環境温度として寒冷地での放置および真夏日での放置より、−数十℃から＋１００℃近くまで考えられる。そのためレーザの動作保証温度範囲より環境温度の範囲が広い条件が存在するため、光モジュールおよびそれを備えた走査型画像表示装置において、レーザの動作保証温度範囲内に温度を調節する加熱・冷却が必要となる。
【００３２】
その際、課題となるのは光モジュール部１０１と放熱部１２０との取付構造である。
【００３３】
上記取付構造は、放熱の効率を向上させるために光モジュール部１０１と放熱部１２０を密着させる必要がある。しかしながら、ねじ止め等による取付では、ねじ止めトルクにより、光モジュール部１０１のケース１２に変形が生じ、光学部品が変位ないしは回転し、各色のレーザビームの光軸ずれ、すなわちスクリーンなどの表示領域上でのスポット相対位置ずれが発生する課題がある。そのため放熱の効率向上と、ねじ止め等による取付時の変形を抑制させる取付構造が必要となる。特に各レーザ光源から発せられたビーム光を結合させるビーム結合部を有するレーザ光源モジュール１００までは、レーザ光源のスポット径が小さく、各光学部品の取付精度はμｍオーダ以下が必要となる。そのため、各光軸調整後、光モジュール部１０１取付時のケース１２の変形の抑制は必須である。
【００３４】
本発明の第１の実施例では、第１レーザ１ａおよび第３レーザ１ｃを取り付けるケース１２の第１の取付面８ａと第２レーザ１ｂを取り付けるケース１２の第２の取付面８ｂを設けた。前記第１の取付面８ａと第２の取付面８ｂは交差するように配置し、前記交差するコーナ部９の近傍にねじ止め等の取り付けが可能な第１の取付部３ａを設けた。発熱部材である第１のレーザ１ａと第２のレーザ１ｂと第３のレーザ１ｃ近傍の第１の取付部３ａは、ねじ止めなどによって放熱部１２０への密着でき放熱の効率向上が図れる。またコーナ部９を設けることによりケース１２の剛性の高い箇所を設け、そこに第１の取付部３ａを配置することによってねじ止め時のトルクなどによるケース１２の変形を抑制することができる。本第１の取付部３ａにより、光モジュール１０１の放熱の効率向上と、光モジュール１０１にお取付時のケース１２の変形を抑制でき、複数のレーザのスポット位置ずれを抑制することで、相対的な位置ずれ量を小さくできる光モジュール１０１となる。
【００３５】
また、第１の取付部３ａの１ヶ所だけでの放熱部１２０との取付は不安定となるので、取付部３ａから見て光モジュール１０１の対角に第２の取付部３ｂを設け、２ヶ所での取付として、光モジュール１０１と放熱部１２０との密着性を安定させてもよいものとする。
【００３６】
上記放熱部１２０として、光モジュール１０１の下面ないしは上面に熱伝導グリス４ないしは熱伝導シートまたは熱伝導ゲルを介して冷却素子５と接続、さらにヒートスプレッダ６に接続させることにより、自動車などに搭載するヘッドアップディスプレイ対応としても良い。その際、第１の取付部３ａ、第２の取付部３ｂとヒートスプレッダ６は、それぞれ、第１の接続部材７ａおよび図示していないが第２の接続部材７ｂに樹脂製のねじを使用し、ヒートスプレッダ６からの熱が光モジュールに伝わりにくいものとしてもよいものとする。
【００３７】
ここで、第１のレーザ１ａ、第２のレーザ１ｂおよび第３のレーザ１ｃは、レーザの特性により消費電力として緑色レーザが一番大きく、次に赤色レーザ、一番消費電力が小さいのが青色レーザとなる。従って、レーザ光として変換されず熱となる各レーザの発熱量は、緑色レーザ＞赤色レーザ＞青色レーザの順に発熱量が高い。各レーザの熱干渉を防ぐため、第１のレーザ１ａを赤色レーザ、第２のレーザ１ｂを緑色レーザとし、第１のレーザ１ａと第２のレーザ１ｂを離す位置に配置し、発熱量の一番高い第２のレーザ１ｂの近傍に第１の取付部３ａを設けると、放熱の効率が更に向上する。
【００３８】
放熱部１２０として、光モジュール１０１をヒートスプレッダ６に直接接続する放熱部１２０としてもよいものとする。
【実施例２】
【００３９】
図３は本発明の第２の実施例に係る走査型画像表示装置の構成図である。
【００４０】
第１の実施例の走査ミラー１１３を、図３に示すような走査型画像表示装置のごとく走査ミラー１１３の後方から前方に画像を投射する構成としている点が異なる。
【００４１】
そのため、第１のレーザ１ａと第２のレーザ１ｂと第３のレーザ１ｃと第１の取付部３ａと第２の取付部３ｂは、図１とは左右対称な位置となり、偏光ビームスプリッタ１１０の代わりに反射ミラー１１５を介して走査ミラー１１３の後方から前方に向けて画像を投影、表示する。走査型画像表示装置の他の構成は基本的に、実施例１と同様である。
【００４２】
図４は第２実施例に係わる光モジュールを説明する斜視図である。  
本第２の実施例でも、第１レーザ１ａおよび第３レーザ１ｃを取り付けるケース１２の第１の取付面８ａと、第２レーザ１ｂを取り付けるケース１２の第２の取付面８ｂを設け、前記第１の取付面８ａと第２の取付面８ｂが交差するように配置し、前記交差するコーナ部９の近傍にねじ止め等の取り付けが可能な第１の取付部３ａを設けた。発熱部材である第１のレーザ１ａと第２のレーザ１ｂと第３のレーザ１ｃ近傍の第１の取付部３ａは、ねじ止めなどによって放熱部１２０へ密着でき、放熱の効率向上が図れる。またコーナ部９を設けることによりケース１２の剛性の高い箇所を設け、そこに第１の取付部３ａを配置することによってねじ止め時のトルクなどによるケース１２の変形を抑制することがでる。本第１の取付構造３ａにより、光モジュール１０１の放熱効率の向上と、光モジュール１０１にお取付時のケース１２の変形を抑制でき、複数のレーザのスポット位置ずれを抑制することで、相対的な位置ずれ量を小さくできる光モジュール１０１となる。
【００４３】
また、第１の取付部３ａの１ヶ所だけでの放熱部１２０との取付は不安定となるので、取付部３ａから見て光モジュール１０１の対角に第２の取付部３ｂを設け、２ヶ所での取付として、光モジュール１０１と放熱部１２０との密着性を安定させてもよいものとする。
【実施例３】
【００４４】
図５は、ケースの取付部に関する本発明の第３の実施例を示す斜視図である。
【００４５】
第1の取付部３ａのねじ止め等の取付時のトルクを緩和するため、ケース１２との構造に切欠き１３ａを設け、ねじ止め時のトルク等をこの切欠き１３ａの変形で吸収させる構造とした。
【００４６】
本切欠き１３ａを設けることによって、ねじ止め時のトルクなどによるケース１２の変形を抑制することができ、光学部品が変位ないしは回転がなく各色のレーザビームの光軸ずれ、すなわちスクリーンなどの表示領域上でのスポット相対位置ずれが生じない光モジュール１０１となる。
【００４７】
図５では切欠き１３ａは両側より２ヶ所切欠きを設けているが、片側のみの切欠きでもよく、同様のケース１２の変形を抑制する効果を得られる。
【実施例４】
【００４８】
図６は、ケースの取付部に関する本発明の第４の実施例を示す斜視図である。
【００４９】
実施例３と同様に第１の取付部３ａに切欠き２３ａを設ける。この切欠き２３ａは光モジュール１０１の厚み方向（ｚ方向）にも切欠きを設けて、ねじ止め時のねじの軸方向（ｚ方向）の力に対しても切欠き部２３ａが変形し吸収できる構造となっている。
【００５０】
本切欠き２３ａを設けることによって、ねじ止め時のトルクや軸力などによるケース１２の変形を抑制することができ、光学部品が変位ないしは回転がなく各色のレーザビームの光軸ずれ、すなわちスクリーンなどの表示領域上でのスポット相対位置ずれが生じない光モジュール１０１となる。
【実施例５】
【００５１】
図７は、ケースの取付部に関する本発明の第５の実施例を示す斜視図である。
【００５２】
第1の取付部３ａのねじ止め等の取付時のトルクを避けるためねじを用いず、ばね性を持った取付部材１７ａを介して図７に示さない放熱部１２０に取り付ける構成となっている。
【００５３】
本取付部材１７ａを介して放熱部１２０に取り付けることによって、ねじ止め時のトルクなどがなくケース１２の変形を抑制することができ、光学部品が変位ないしは回転がなく各色のレーザビームの光軸ずれ、すなわちスクリーンなどの表示領域上でのスポット相対位置ずれが生じない光モジュール１０１となる。
【実施例６】
【００５４】
図８は、ケースの取付部に関する本発明の第６の実施例を示す斜視図である。
【００５５】
本図８は第２の取付部３ｂに関するもので、光モジュール１０１の外形を小さくするため、第２の取付部３ｂをケース１２外形の内側に設けた。また、ねじ止め等の取付時のトルクを緩和するため、ケース１２との構造に切欠き１３ｂを設け、ねじ止め時のトルク等をこの切欠き１３ｂの変形で吸収させる構造とした。
【００５６】
本切欠き１３ｂを設けることによって、ねじ止め時のトルクなどによるケース１２の変形を抑制することができ、光学部品が変位ないしは回転がなく各色のレーザビームの光軸ずれ、すなわちスクリーンなどの表示領域上でのスポット相対位置ずれが生じない光モジュール１０１となる。
【００５７】
図８では切欠き１３ｂは両側より２ヶ所切欠きを設けているが、片側のみ切欠きでもよく、同様のケース１２の変形を抑制する効果を得られる。
【００５８】
また、第２の取付部３ｂの構造について示しているが、第１の取付部３ａの構造に適用してもよいものとする。
【実施例７】
【００５９】
図９は、ケースの取付部に関する本発明の第７の実施例を示す斜視図である。
【００６０】
実施例６と同様に第２の取付部３ｂに切欠き２３ｂを設ける。この切欠き２３ｂは光モジュール１０１の厚み方向（ｚ方向）にも切欠きを設けて、ねじ止め時のねじの軸方向（ｚ方向）の力に対しても切欠き部２３ｂが変形し吸収できる構造となっている。
【００６１】
本切欠き２３ｂを設けることによって、ねじ止め時のトルクや軸力などによるケース１２の変形を抑制することができ、光学部品が変位ないしは回転がなく各色のレーザビームの光軸ずれ、すなわちスクリーンなどの表示領域上でのスポット相対位置ずれが生じない光モジュール１０１となる。
【００６２】
また、第２の取付部３ｂの構造について示しているが、第１の取付部３ａの構造に適用してもよいものとする。
【実施例８】
【００６３】
図１０は、ケースの取付部に関する本発明の第８の実施例を示す断面図である。
【００６４】
実施例４と同様の第１の取付部３ａの構成において、ねじなどの接続部材７ａと第１の取付部３ａは、熱を遮断するプラスチックなどの樹脂製部材１４ａを介して取り付けられている。
【００６５】
同様にねじなどの接続部材７ａとヒートスプレッダ６は、熱を遮断するプラスチックなどの部材１５ａを介してボルトなどの固定部材１６ａで取り付けられている。
【００６６】
熱を遮断する部材１４ａと部材１５ａを介して、光モジュール１０１を冷却素子５の放熱をするヒートスプレッダ６を取り付ける。前記部材１４ａと部材１５ａを介することによって、ヒートスプレッダ６から光モジュール１０１への熱の流入を防ぐことができる。前記熱流入を防ぐことにより、光モジュール１０１を効率よく冷却することが可能となり、冷却素子５の消費電力の低減、および冷却時間の短縮が図れる。
【００６７】
実施例８の効果は、冷却素子６を用いた放熱部１２０において効果があるものである。
【実施例９】
【００６８】
図１１は、ケースの取付部に関する本発明の第９の実施例を示す平面図である。
【００６９】
第１の取付部３ａと第２の取付部３ｂ以外に第１のレーザ１ａと第２のレーザ１ｂと第３のレーザ１ｃから離れたケース１２のコーナに第３の取付部３ｃを設け３点で面を構成し、光モジュール１０１と本図１１に示さない放熱部１２０の密着性と位置決めを安定させたものである。
【００７０】
効果は、前記までと同様に放熱の効率向上が図れ、スクリーン１０９などの表示領域上でのスポット相対位置ずれが生じない光モジュール１０１となる。
【００７１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。 
【符号の説明】
【００７２】
１ａ…第１のレーザ、１ｂ…第２のレーザ、１ｃ…第３のレーザ、２ａ…第１のレーザホルダ、２ｂ…第２のレーザホルダ、２ｃ…第３のレーザホルダ、３ａ…第１の取付部、３ｂ…第２の取付部、３ｃ…第３の取付部、４…熱伝導グリス、５…冷却素子、６…ヒートスプレッダ、７ａ…接続部材、７ｂ…接続部材、８ａ…第１の取付面、８ｂ…第２の取付面、９…コーナ、１２…ケース、１４ａ…部材、１５ａ…部材、１６ａ…固定部材、１７ａ…取付部材、１００…レーザ光源モジュール、１０１…光モジュール、１０２…制御回路、１０３…ビデオ信号処理回路、１０４…レーザ光源駆動回路、１０５…走査ミラー駆動回路、１０６…フロントモニター信号検出回路、１０９…スクリーン、１１０…偏光ビームスプリッタ(ＰＢＳ)、１１１…１／４波長板、１１２…画角拡大素子、１１３…走査ミラー、１１４…フロントモニター、１１５…反射ミラー、１２０…放熱部。
【図１】
2014044227.tif 000003
【図２】
2014044227.tif 000004
【図３】
2014044227.tif 000005
【図４】
2014044227.tif 000006
【図５】
2014044227.tif 000007
【図６】
2014044227.tif 000008
【図７】
2014044227.tif 000009
【図８】
2014044227.tif 000010
【図９】
2014044227.tif 000011
【図１０】
2014044227.tif 000012
【図１１】
2014044227.tif 000013